(57)【要約】【課題】乗継シュートが、上流ベルトコンベアから落下する粉粒製鉄原料で摩耗して破穴すること、及び、下流ベルトコンベアの蛇行及び偏り走行を防止する。【解決手段】粉粒製鉄原料が上流ベルトコンベアから下流ベルトコンベアに乗継ぐ乗継部を囲う構造枠体を備えるベルトコンベア乗継装置において、該構造枠体の、下流ベルトコンベアに平行で、かつ、下流ベルトコンベアの内側で、上流ベルトコンベアから落下する粉粒製鉄原料に対向する枠板に、上記落下する粉粒製鉄原料が衝突し、上記枠体との間に、粉粒製鉄原料の堆積体を形成する金属プレートが配置されていることを特徴とするベルトコンベア乗継装置。【選択図】図１
2020203758.tif 000002
【特許請求の範囲】
【請求項１】
粉粒製鉄原料が上流ベルトコンベアから下流ベルトコンベアに乗継ぐ乗継部を囲う構造枠体を備えるベルトコンベア乗継装置において、該構造枠体の、下流ベルトコンベアに平行で、かつ、下流ベルトコンベアの内側で、上流ベルトコンベアから落下する粉粒製鉄原料に対向する枠板に、前記落下する粉粒製鉄原料に衝突し、前記枠板との間に、粉粒製鉄原料の堆積体を形成する金属プレートが配置されていることを特徴とするベルトコンベア乗継装置。
【請求項２】
前記金属プレートと枠板が形成する堆積体の斜面が、上流ベルトコンベアから落下する粉粒製鉄原料を下流ベルトコンベアの幅方向中央部に誘導するシュートとして機能することを特徴とする請求項１に記載のベルトコンベア乗継装置。
【請求項３】
前記金属プレートが、前記落下する粉粒製鉄原料に対し進退可能に配置されていることを特徴とする請求項１又は２に記載のベルトコンベア乗継装置。
【請求項４】
前記金属プレートの下流ベルトコンベアに平行な方向の幅が、上流ベルトコンベアの幅×０．６以上であることを特徴とする請求項１〜３のいずれか１項に記載のベルトコンベア乗継装置。
【発明の詳細な説明】
【技術分野】
【０００１】
本発明は、鉄鉱石、石炭、コークス、焼結鉱等の粉粒製鉄原料をベルトコンベアで搬送する際、粉粒製鉄原料のベルトコンベア乗継部で用いるベルトコンベア乗継装置に関する。
【背景技術】
【０００２】
鉄鉱石、石炭、コークス、焼結鉱等の粉粒製鉄原料（以下「粉粒製鉄原料」ということがある。）をベルトコンベアで搬送する際、粉粒製鉄原料が左右に偏り、ベルトコンベアが蛇行したり、また、偏って走行する場合がある。
【０００３】
粉粒製鉄原料を、上流のベルトコンベア（以下「上流ベルトコンベア」という。）から下流のベルトコンベア（以下「下流ベルトコンベア」という。）に乗継させる場合、上流ベルトコンベアが蛇行又は偏り走行していると、上流ベルトコンベアから下流ベルトコンベアに落下する粉粒製鉄原料は、下流ベルトコンベアの幅方向中央部に落下せず、下流ベルトコンベアが蛇行又は偏り走行する原因となる。
【０００４】
下流ベルトコンベアが蛇行又は偏り走行すると、粉粒製鉄原料が下流ベルトコンベアから落下したり、また、上流ベルトコンベアの粉粒製鉄原料が、下流ベルトコンベアに乗継がず、そのまま落下することがある。
【０００５】
それ故、上流ベルトコンベアから落下する粉粒製鉄原料を、下流ベルトコンベアの幅方向中央部に誘導するため、ベルトコンベア乗継部に、乗継シュートを配置することが周知であり、これまで、多くの乗継シュートや乗継装置が提案されている（例えば、特許文献１〜８、参照）。
【０００６】
特許文献１には、揺動可能に支持されてコンベアに対する傾斜角を可変にされ、コンベアの搬出側端部を包むように幅方向に湾曲され、かつ表面は、個々に弾性的に支持された分割体が配設されることにより構成されたコンベア用シュートが開示されている。
【０００７】
特許文献２には、上段ベルトコンベア２と下段ベルトコンベア３との間に設置するシュートバッファ７の下端にストンボックスライナー１３を固定し、シュートバッファ７のストンボックスライナー１３側に間隔をおいて、下端にストンボックスライナー１３の下方に対向して補助ストンボックスライナー１８を設けた補助シュートバッファ１７を装着して成るベルトコンベアシュート装置が開示されている。
【０００８】
特許文献３には、粉粒体を搬送する上部コンベアと下部コンベアとの乗継ぎ部に設けられる漏斗型のベルトコンベア用乗継ぎシユートにおいて、前記上部コンベアの正面側のシユート本体壁内面に可撓板を垂設し、前記可撓板と上部コンベアの正面側のシユート本体壁との間に、下端に回転自在となしたローラを有しシユート本体に設けた取付け部材を支点として揺動可能な付着物剥離装置の下部を設けたことを特徴とするベルトコンベア用乗継ぎシユートが開示されている。
【０００９】
特許文献４には、ベルトコンベアが多段階に配されたベルトコンベア設備の上流側ベルトコンベアと下流側ベルトコンベアの乗継ぎ部に、上流側ベルトコンベアからの搬送物を下流側ベルトコンベアの中心に落下させるための傾斜角度可変式の受渡し位置制御板を有する搬送物受渡し位置制御装置であって、搬送物搬送量、搬送物の嵩密度、搬送物の水分値、前記受渡し位置制御板の角度および下流側ベルトコンベアの蛇行量にそれぞれの補正係数を乗じて受渡し位置制御板の傾斜角度を補正し、この補正された傾斜角度信号を受渡し位置制御板の制御系に出力する角度補正演算装置を備えたことを特徴とするベルトコンベアの搬送物受渡し位置制御装置が開示されている。
【００１０】
特許文献５には、粉粒物を搬送する上部コンベヤの搬出端部に対向し、下部コンベヤとの乗継ぎ部に設けられるベルトコンベヤの粉粒物案内シュート装置において、傾斜角度を可変に支持されたシュート本体と、このシュート本体の表面に上部コンベヤから放出される粉粒物が衝突して接触しつつ落下する範囲を被覆するセラミックライナと、前記シュート本体にセラミックライナを被覆した範囲の上方を被覆するバイブレータにより振動する加振ライナとを備えたことを特徴とするベルトコンベヤへの粉粒物の案内シュート装置が開示されている。
【００１１】
特許文献６には、上流側ベルトコンベアから下流側ベルトコンベア−ヘの搬出端部に設けられた乗継部シュート内に、上方から複数本のリンクチエーンがシュート出口に向けて支持棒により吊り下げられ、かつ、搬送物の落下放物線状流路を遮るように密に配列されていることを特徴とするベルトコンベア乗継部シュートの粉体付着防止装置が開示されている。
【００１２】
特許文献７には、上流側ベルトコンベアの搬出端部に対向し、下流側ベルトコンベアとの乗継ぎ部に設けられる搬送物案内シュート装置において、シュート本体内壁側に上部を支点に前後方向に揺動可能に垂設したセラミックシートと、該セラミックシートの背面側に当該シートの傾斜角度を可変に支持するシート角度調整装置を備え、上流側ベルトコンベアから放出される搬送物が前記セラミックシートに衝突して接触しつつ下流側ベルトコンベア上に落下する構造となしたことを特徴とするベルトコンベア乗継ぎ部における搬送物案内シュート装置が開示されている。
【００１３】
特許文献８には、上流側ベルトコンベアと該上流側ベルトコンベアの下方に位置する下流側ベルトコンベアとの相互間に配置され、該上流側ベルトコンベアの出側から放出、送給された搬送物の偏積に由来した下流側ベルトコンベアのコンベアベルトの片寄りを防止するコンベアベルトの片寄り防止装置であって、該上流側ベルトコンベアの出側から放出された搬送物を下流側ベルトコンベアに落下、誘導する経路を形成するための乗継ぎシュートを備え、該乗継ぎシュートは、その上部に、放出直後の搬送物を衝突させてその落下軌跡を変更する整流板を有し、その下部には、該下流側ベルトコンベアのコンベアベルトの幅方向に沿って配置され、その相互間に形成された間口を通して落下軌跡の変更された搬送物を該下流側ベルトコンベアのコンベアベルト上へ案内する一対の案内板を有することを特徴とするベルトコンベアにおけるコンベアベルトの片寄り防止装置が開示されている。
【００１４】
このように、乗継シュートにおいては、上流ベルトコンベアから落下する粉粒製鉄原料を、下流ベルトコンベアの幅方向の中央部に誘導するため、種々の改善・工夫がなされている。
【００１５】
しかし、特許文献１〜８に開示の乗継シュートに限らず、乗継シュートにおいては、落下する粉粒製鉄原料で摩耗して破穴するという課題や、乗継シュートへの粉粒製鉄原料の付着により、粉粒製鉄原料がシュート面で偏流して、下流ベルトコンベアの蛇行又は偏り走行を助長するという課題が、常に存在する。
【先行技術文献】
【特許文献】
【００１６】
【特許文献１】実開昭５３−０９１１８０号公報
【特許文献２】実開昭５９−０７４９０５号公報
【特許文献３】実開昭６４−０４３００８号公報
【特許文献４】特開平０６−２２７６４０号公報
【特許文献５】実開平０６−０８７３１４号公報
【特許文献６】特開平１０−０５９５３０号公報
【特許文献７】特開平１０−２７９０６１号公報
【特許文献８】特開２０１７−１４５０６８号公報
【発明の概要】
【発明が解決しようとする課題】
【００１７】
そこで、本発明は、従来技術が抱える課題を踏まえ、(a)乗継シュートが、上流ベルトコンベアから落下する粉粒製鉄原料で摩耗して破穴することを防止する、及び、(b)上流ベルトコンベアから落下する粉粒製鉄原料を、下流ベルトコンベアの幅方向中央部に的確に誘導し、下流ベルトコンベアの蛇行及び偏り走行を防止することを課題とし、該課題を解決するベルトコンベア乗継装置を提供することを目的とする。
【課題を解決するための手段】
【００１８】
本発明者らは、上記課題を解決する手法について鋭意検討した。その結果、粉粒製鉄原料の乗継部を囲う構造枠体に、粉粒製鉄原料の落下を遮断する位置に金属プレートを配置し、金属プレート上に粉粒製鉄原料の堆積体を形成すれば、該堆積体の斜面がシュート面として機能し、上記課題を解決できることを見いだした。
【００１９】
本発明は、上記知見に基づいてなされたもので、その要旨は以下のとおりである。
【００２０】
（１）粉粒製鉄原料が上流ベルトコンベアから下流ベルトコンベアに乗継ぐ乗継部を囲う構造枠体を備えるベルトコンベア乗継装置において、該構造枠体の、下流ベルトコンベアに平行で、かつ、下流ベルトコンベアの内側で、上流ベルトコンベアから落下する粉粒製鉄原料に対向する枠板に、
上記落下する粉粒製鉄原料に衝突し、上記枠板との間に、粉粒製鉄原料の堆積体を形成する金属プレートが配置されている
ことを特徴とするベルトコンベア乗継装置。
【００２１】
（２）前記金属プレートと枠板が形成する堆積体の斜面が、上流ベルトコンベアから落下する粉粒製鉄原料を下流ベルトコンベアの幅方向中央部に誘導するシュートとして機能することを特徴とする前記（１）に記載のベルトコンベア乗継装置。
【００２２】
（３）前記金属プレートが、前記落下する粉粒製鉄原料に対し進退可能に配置されていることを特徴とする前記（１）又は（２）に記載のベルトコンベア乗継装置。
【００２３】
（４）前記金属プレートの下流ベルトコンベアに平行な幅が、上流ベルトコンベアの幅×０．６以上であることを特徴とする前記（１）〜（３）のいずれかに記載のベルトコンベア乗継装置。
【発明の効果】
【００２４】
本発明によれば、上流ベルトコンベアから落下する粉粒製鉄原料を、下流ベルトコンベアの幅方向中央部に的確に誘導し乗継させるので、下流ベルトコンベアの蛇行及び偏り走行を防止し、粉粒製鉄原料のベルトコンベア乗継搬送を効率化することができる。
【図面の簡単な説明】
【００２５】
【図１】本発明のベルトコンベア乗継装置の側断面態様を模式的に示す図である。
【図２】図１のＡ−Ａ断面における矢印方向の平面態様を模式的に示す図である。
【発明を実施するための形態】
【００２６】
本発明のベルトコンベア乗継装置（以下「本発明乗継装置」ということがある。）は、
粉粒製鉄原料が上流ベルトコンベアから下流ベルトコンベアに乗継ぐ乗継部を囲う構造枠体を備えるベルトコンベア乗継装置において、該構造枠体の、下流ベルトコンベアに平行（特に断りのない限り、「ベルトコンベアに平行」とは、ベルトコンベアの搬送方向に平行であることをいう。）で、かつ、下流ベルトコンベアの内側（特に断りのない限り、「ベルトコンベアの内側」とは、ベルトコンベアの幅方向の両端より内側であることをいう。）で、上流ベルトコンベアから落下する粉粒製鉄原料に対向する枠板に、上記落下する粉粒製鉄原料に衝突し、上記枠体との間に、粉粒製鉄原料の堆積体を形成する金属プレートが配置されていることを特徴とする。
【００２７】
本発明乗継装置は、前記金属プレートと枠板が形成する堆積体の斜面が、上流ベルトコンベアから落下する粉粒製鉄原料を下流ベルトコンベアの幅方向中央部に誘導するシュートとして機能することを特徴とする。
【００２８】
本発明乗継装置は、前記金属プレートが、前記落下する粉粒製鉄原料に対し進退可能に配置されていることを特徴とする。
【００２９】
本発明乗継装置は、前記金属プレートの下流ベルトコンベアに平行な幅が、上流ベルトコンベアの幅×（０．６〜０．８）以上であることを特徴とする。
【００３０】
以下、本発明乗継装置について、図面に基づいて説明する。
【００３１】
図１に、本発明のベルトコンベア乗継装置の側断面態様を模式的に示し、図２に、図１のＡ−Ａ断面における矢印方向の平面態様を模式的に示す。以下図面を基に上流ベルトコンベアと下流ベルトコンベアが概ね直交するように配置された場合を例として説明するが、本発明の実施態様はこれに限定されるものではない。
【００３２】
プーリー２と他方のプーリー（図示なし）で回動する上流ベルトコンベア１が搬送する粉粒製鉄原料３を、構造枠体４で囲まれるベルトコンベア乗継部で、下流ベルトコンベア８に乗継がせる。
【００３３】
構造枠体４は、下流ベルトコンベア８の内側上部に、下流ベルトコンベア８ａに平行な枠体５ａ及び枠体５ｂを備えている。枠体５ａ及び枠体５ｂの下端部には、該下端部と下流ベルトコンベアの間を閉鎖する防塵板７が取付けられているが、枠体５ａ及び枠体５ｂの下端部が、下流ベルトコンベア８に近接して防塵作用をなす場合、防塵板７は不要である。
【００３４】
そして、粉粒製鉄原料の乗継部を囲う構造枠体４の、下流ベルトコンベア８に平行で、かつ、下流ベルトコンベア８の内側で、上流ベルトコンベア１から落下する粉粒製鉄原料３に対向する枠板５ａに、下流ベルトコンベア８の幅方向中央部８ａに向いて突出する金属プレート６が、上流ベルトコンベアから落下する粉粒製鉄原料３に衝突する位置に配置されている。この点が、本発明乗継装置における構造の特徴である。
【００３５】
上流ベルトコンベア１から落下する粉粒製鉄原料３は、枠板５ａと金属プレート６に衝突するので、枠板５ａと金属プレート６の間に堆積して、金属プレート６の上に、安息角θの斜面９ａを有する堆積体９が形成される。
【００３６】
そして、上流ベルトコンベア１から継続して落下する粉粒製鉄原料３は、堆積体９の斜面９ａに衝突して滑落し、下流ベルトコンベア８の幅方向中央部８ａに誘導されて、下流ベルトコンベア８に乗継ぐことになる。
【００３７】
即ち、枠体５ａと金属プレート６の間に形成される粉粒製鉄原料３の堆積体９の斜面９ａ（安息角θ）が、上流ベルトコンベア１から落下する粉粒製鉄原料３を、下流ベルトコンベア８の幅方向中央部８ａに誘導するシュートとして機能する。この点が、本発明乗継装置の構造（特徴）に基づく機能の特徴である。
【００３８】
このように、粉粒製鉄原料３の堆積体９の斜面９ａ（安息角θ）は、粉粒製鉄原料３が滑落するセルフライニング構造のシュートとして機能するので、従来の乗継シュートで生じる摩耗や、摩擦による破穴は生じない。
【００３９】
また、粉粒製鉄原料３の堆積体９の斜面９ａ（安息角θ）を滑落した粉粒製鉄原料３は、下流ベルトコンベア８の幅方向中央部８ａに向かって落下するので、下流ベルトコンベア８の蛇行又は偏り走行が抑制され、粉粒製鉄原料３の下流ベルトコンベア８からの落下が防止されて、粉粒製鉄原料３の乗継が効率的に進行する。
【００４０】
図１と図２には、上流ベルトコンベア１と下流ベルトコンベア８が直交する場合の乗継態様を示したが、上流ベルトコンベアと下流ベルトコンベアの配置は、金属プレート６が、上流ベルトコンベア１から落下する粉粒製鉄原料３の堆積体９を形成することができる配置であればよいので、特定の配置（例えば、直交）に限定されない。
【００４１】
金属プレートは、前述したように、上流ベルトコンベアから落下する粉粒製鉄原料に対向する枠板に、落下する粉粒製鉄原料に衝突する位置に配置する。
【００４２】
高さ方向の配置位置（図１中、Ｈ［下流ベルトコンベアの中央部からの距離］）、及び、枠体からの突出長さ（図１及び図２中、Ｌ）は、上流ベルトコンベアから落下する粉粒製鉄原料の落下軌跡及び落下量（ｋｇ／分）を考慮し、粉粒製鉄原料の堆積体の斜面（安息角θ）を滑落する粉粒製鉄原料が下流ベルトコンベアの幅方向中央部に落下するように設定する。
【００４３】
操業実績によれば、ベルトコンベアの搬送速度及び搬送量は、粉粒製鉄原料の種類に依らず、ほぼ一定であり、また、安息角θも、３０〜４５°で、ほぼ一定であり、この限りで、上流ベルトコンベアから落下する粉粒製鉄原料の落下軌跡及び落下量（搬送量）は、ほぼ同じとしてよいので、金属プレートは、一定の位置（図１中、Ｈ）に、一定の突出長さ（図２中、Ｌ）で、枠体に固定してもよい。
【００４４】
ただし、粉粒製鉄原料の種類、ベルトコンベアの搬送速度及び搬送量によっては、金属プレートの枠体からの突出長さを変更する必要がある場合もあるので、金属プレートは、好ましくは、枠体に対し進退可能（金属プレートの枠体からの突出長さを可変）に配置するとよい。金属プレートの枠体からの突出長さを調整することにより、粉粒製鉄原料を下流ベルトコンベアの中央部に誘導することができる。
【００４５】
図１及び図２において、金属プレートは水平に配置されているが、枠体と金属プレートの間に、上流ベルトコンベアから落下する粉粒製鉄原料の、安息角θの斜面を有する堆積体が形成される限りにおいて、金属プレートは傾斜していてもよい。
【００４６】
金属プレートは、粉粒製鉄原料による摩耗を受けないが、粉粒製鉄原料の堆積体を支え、かつ、粉粒製鉄原料の落下衝撃に耐える強度を必要とするので、該強度を有する所要厚の金属プレートであればよい。粉粒製鉄原料に対する耐食性をも考慮すると、金属プレートは、例えば、ステンレス製のプレートが好ましい。
【００４７】
金属プレートの下流ベルトコンベアに平行な方向の幅は、図２に示すように、上流ベルトコンベアから落下する粉粒製鉄原料を受け止め、安息角θの斜面を有する堆積体を形成するのに十分な幅（図２中、Ｗ）であればよく、特に、特定の幅に限定されない。
【００４８】
通常、粉粒製鉄原料は、ベルトコンベアの中央部に、ベルトコンベアの幅×（０．６〜０．８）の幅で載置されて搬送され、ベルトコンベアの乗継部で、そのまま落下するので、金属プレートの幅（図２中、Ｗ）は、上流ベルトコンベアの幅×０．６以上にするとよく、さらには上流ベルトコンベアの幅×０．８以上が好ましい。金属プレートの幅の上限は、ベルトコンベアの乗継部を囲う構造枠体の幅を考慮して設定すればよいので、特に限定しない。
【産業上の利用可能性】
【００４９】
前述したように、本発明によれば、上流ベルトコンベアから落下する粉粒製鉄原料を、下流ベルトコンベアの幅方向中央部に的確に誘導し乗継させるので、下流ベルトコンベアの蛇行及び偏り走行を防止し、粉粒製鉄原料のベルトコンベア乗継搬送を効率化することができる。よって、本発明は、鉄鋼産業において利用可能性が高いものである。
【符号の説明】
【００５０】
１    上流ベルトコンベア
２    プーリー
３    粉粒状粉粒製鉄原料
４    構造枠体
５ａ、５ｂ    枠板
６    金属プレート
７    防塵板
８    下流ベルトコンベア
８ａ    幅方向中央部
９    堆積体
９ａ    斜面
θ    安息角
Ｈ    距離
Ｌ    突出長さ
Ｗ    幅
【図１】
2020203758.tif 000003
【図２】
2020203758.tif 000004